(57)【要約】【課題】摩耗部材を固定するためのアセンブリ【解決手段】特に、浚渫カッターヘッドに適した掘削刃を取付けるためのアセンブリは、ベースと、アダプタと、ロックとを有する。このベースは、このアダプタ上の凹状の湾曲した支持面に当接する、凸状の湾曲した支持面を有する。これらの湾曲した支持面は、横方向の負荷をうけた際に、互いにほぼ完全な接触を維持することができる。【選択図】なし【特許請求の範囲】
【請求項１】
摩耗部材を掘削装置に取付けるためのアセンブリであって、
掘削機の掘り起こし部に固定されるようになっており、第１の結合構造と、前方支持面のほぼ全体にわたって湾曲した凸状の前方支持面と、後方支持面とを有するベースと、  前記第１の結合構造に嵌合して、解放方向を除いて、摩耗部材の解放を防ぐ第２の結合構造と、ほぼ全体にわたって湾曲し、前記前方支持面に当接する凹状当接面と、支持壁部を有する開口部と、前方に突出している作用部とを有する摩耗部材と、
前記後方支持面及び前記開口部の支持壁部と対向するように前記開口部内に入って、前記解放方向での前記結合構造の解放を防ぎ、前記摩耗部材を前記ベースに保持させるロックとを具備するアセンブリ。
【請求項２】
前記前方支持面と当接面とは、ほぼ同じ曲率半径で、それぞれ相対的に湾曲している、請求項１に記載のアセンブリ。
【請求項３】
前記前方支持面と当接面とは、２つの直交する方向にそれぞれ湾曲している、請求項２に記載のアセンブリ。
【請求項４】
前記前方支持面と当接面とは、それぞれ球面部分を形成する、請求項３に記載のアセンブリ。
【請求項５】
前記接触面と後方支持面とは、ほぼ同じ曲率半径を有する、請求項４に記載のアセンブリ。
【請求項６】
前記ロックは、前記後方支持面と係合する接触面を有し、この接触面と前記後方支持面とは、それぞれ、球面部分を形成する、請求項５に記載のアセンブリ。
【請求項７】
前記前方支持面及び前記後方支持面の曲率半径は、ほぼ同じ点を起点とする、請求項６に記載のアセンブリ。
【請求項８】
前記前方支持面と当接面とは、２つの直交する方向にそれぞれ湾曲している、請求項１に記載のアセンブリ。
【請求項９】
前記前方支持面と後方支持面とは、２つの直交する方向にそれぞれ湾曲している、請求項１に記載のアセンブリ。
【請求項１０】
前記前方支持面及び後方支持面は、前記２つの直交する方向のそれぞれにおける曲率半径により規定されている、請求項９に記載のアセンブリ。
【請求項１１】
前記方向のうちの一方における湾曲を規定する、前記前方支持面及び後方支持面のための曲率半径は、同じ箇所を起点とする、請求項１０に記載のアセンブリ。
【請求項１２】
前記方向のうちの他方における湾曲を決める、前記前方支持面及び後方支持面のための曲率半径は、同じ箇所を起点とする、請求項１１に記載のアセンブリ。
【請求項１３】
前記ロックは、前記後方支持面と係合する接触面を有し、この接触面と前記後方支持面とは、それぞれ湾曲している、請求項１に記載のアセンブリ。
【請求項１４】
前記接触面と後方支持面とは、ほぼ同じ曲率半径を有する、請求項１３に記載のアセンブリ。
【請求項１５】
前記接触面と後方支持面とは、それぞれ、２つの直交する方向に湾曲している、請求項１３に記載のアセンブリ。
【請求項１６】
前記接触面と後方支持面とは、それぞれ球面部分を形成している、請求項１５に記載のアセンブリ。
【請求項１７】
前記後方支持面は湾曲しており、前記前方支持面及び後方支持面は、各々が、曲率半径によって規定され、前記前方支持面及び後方支持面のための曲率半径は、同じ起点を有する、請求項１に記載のアセンブリ。
【請求項１８】
前記前方支持面と後方支持面とは、各々球面部分を形成している、請求項１７に記載のアセンブリ。
【請求項１９】
前記第１及び第２の結合構造のうちの一方は、少なくとも１つの肩部を有する舌状部であり、前記第１及び第２の結合構造のうちの他方は、前記した舌状部を嵌合収容するスロットである、請求項１に記載のアセンブリ。
【請求項２０】
前記第１の結合構造は、Ｔ字状の舌状部であり、前記第２の結合構造は、Ｔ字状のスロットである、請求項１９に記載のアセンブリ。
【請求項２１】
前記第１の結合構造は舌状部であり、前記第２の結合構造はスロットである、請求項１に記載のアセンブリ。
【請求項２２】
前記ロックは、前記支持壁部と対向する第１の接触面と、前記後方支持面と対向する第２の接触面とを有し、また、このロックは、前記第１及び第２の接触面を、互いに離れるように選択的に動かし、前記ベースへの前記摩耗部材の係合を強めるアクチュエータをさらに有する、請求項１に記載のアセンブリ。
【請求項２３】
前記アクチュエータは、ネジを有し、このネジの自由端部は、前記第１及び第２の接触面のうちの一方を形成している、請求項２２に記載のアセンブリ。
【請求項２４】
前記ネジの自由端部は、前記第２の接触面を形成する、請求項２３に記載のアセンブリ。
【請求項２５】
前記第２の接触面と後方支持面とは、各々、湾曲している、請求項２２に記載のアセンブリ。
【請求項２６】
前記第２の接触面と後方支持面とは、各々、球面部分を形成している、請求項２５に記載のアセンブリ。
【請求項２７】
前記ロックは、前方部材と、後方部材と、これらの間の弾性部材とを有し、前記アクチュエータは、前記摩耗部材とベースとの間に摩耗が生じたときに、前記弾性部材が、前記摩耗部材を前記ベースに対して締め付けることができるように、前記ロックが、前記開口部内にある場合に、前記弾性部材を、前記前方部材と後方部材との間で圧縮するようになっている、請求項２２に記載のアセンブリ。
【請求項２８】
前記アクチュエータは、ネジである、請求項２７に記載のアセンブリ。
【請求項２９】
前記弾性部材は、エラストマーである、請求項２８に記載のアセンブリ。
【請求項３０】
前記弾性部材は、エラストマーである、請求項２７に記載のアセンブリ。
【請求項３１】
前記ロックは、前記弾性部材の圧縮を制限する少なくとも１つのストップをさらに有する、請求項２７に記載のアセンブリ。
【請求項３２】
前記ロックは、アクチュエータと弾性部材とを有し、このアクチュエータは、前記弾性部材を圧縮し、前記弾性部材は、前記ロックを膨張させて、前記摩耗部材の前記ベースに対する係合を強める、請求項１に記載のアセンブリ。
【請求項３３】
前記ベースは、浚渫カッターヘッドのアームとの一体部として鋳造されている、請求項１に記載のアセンブリ。
【請求項３４】
摩耗部材を掘削装置に取付けるためのアセンブリであって、
掘削機の掘り起こし部に固定されるようになっており、第１の結合構造と、前方支持面と、後方支持面とを有するベースと、
解放方向を除いて、摩耗部材の解放を防ぐために、前記第１の結合構造に嵌合する第２の結合構造と、前記前方支持面に当接する当接面と、支持壁部を有する開口部と、前方に突出する作用部とを有する摩耗部材と、
前記開口部内に、前記後方支持面及び前記開口部の支持壁部と対向するようにして入れられ、前記解放方向での前記結合構造の解放を防ぎ、それにより前記摩耗部材を前記ベースに対して保持するようになっており、アクチュエータと弾性部材とを有し、前記開口部内にあるときに、前記アクチュエータは、前記ベース上の摩耗部材をよりきつく嵌合し、かつ前記弾性部材を圧縮するように作動することができ、前記弾性部材は、前記ロックを膨張させて、前記アセンブリに摩耗が生じたときに、前記摩耗部材の前記ベースに対する係合を強めるロックとを具備するアセンブリ。
【請求項３５】
前記ロックは、前記支持壁部と対向する第１の接触面と、前記後方支持面に対向する第２の接触面とを有し、また、このロックは、前記第１及び第２の接触面を、互いに離れるように選択的に動かして、前記摩耗部材の前記ベースに対する係合を強めるアクチュエータをさらに有する、請求項３４に記載のアセンブリ。
【請求項３６】
前記アクチュエータはネジを有し、このネジの自由端部は、前記第１及び第２の接触面のうちの一方を形成している、請求項３５に記載のアセンブリ。
【請求項３７】
前記ネジの自由端部は、前記第２の接触面を形成している、請求項３６に記載のアセンブリ。
【請求項３８】
前記第２の接触面と後方支持面とは、各々、湾曲している、請求項３５に記載のアセンブリ。
【請求項３９】
前記第２の接触面と後方支持面とは、各々、球面部分を形成している、請求項３８に記載のアセンブリ。
【請求項４０】
前記ロックは、前方部材と、後方部材と、これらの間の弾性部材とを有し、前記アクチュエータは、前記摩耗部材とベースとの間に摩耗が生じたときに、前記弾性部材が、前記摩耗部材を前記ベースに対して締め付けることができるように、前記ロックが前記開口部内にある場合に、前記弾性部材を、前記前方部材と後方部材との間で圧縮するようになっている、請求項３４に記載のアセンブリ。
【請求項４１】
前記アクチュエータは、ネジである、請求項４０に記載のアセンブリ。
【請求項４２】
前記弾性部材は、エラストマーである、請求項４１に記載のアセンブリ。
【請求項４３】
前記弾性部材は、エラストマーである、請求項４０に記載のアセンブリ。
【請求項４４】
前記ロックは、前記弾性部材の圧縮を制限する少なくとも１つのストップをさらに有する、請求項４０に記載のアセンブリ。
【請求項４５】
前記ベースは、前記掘削機の一体部として鋳造されている、請求項３４に記載のアセンブリ。
【請求項４６】
上にベースが固定される掘削機に対するアタッチメントのための摩耗部材であって、この摩耗部材が、前記ベース上の相補的な形状の舌状部を収容するための少なくとも１つの側方肩部を有する結合構造を形成する脚部と、ロックを収容する開口部と、前方に突出する作用部と、前記ベースの支持面に当接するようになっている、後方に面している当接面とを備え、前記当接面が、前記当接面のほぼ全体にわたって凹状の湾曲部分を形成する摩耗部材。
【請求項４７】
前記当接面は、２つの直交する方向に湾曲している、請求項４６に記載の摩耗部材。
【請求項４８】
前記当接面は、後方脚部の幅と概して平行な方向に湾曲している、請求項４６に記載の摩耗部材。
【請求項４９】
前記当接面は、前記後方脚部の幅と概して直角な方向に湾曲している、請求項４６に記載の摩耗部材。
【請求項５０】
前記当接面は、球面部分を形成している、請求項４６に記載の摩耗部材。
【請求項５１】
前記開口部は、横方向部分と、前記摩耗部材の後方壁部に開口する軸方向部分とを有する、請求項４６に記載の摩耗部材。
【請求項５２】
前記開口部は、湾曲した構造を有する後方壁部を有する、請求項４６に記載の摩耗部材。
【請求項５３】
前記摩耗部材は、刃の部分を取付けるためアダプタであり、前記結合構造は、少なくとも１つの側方肩部を有するスロットである、請求項４６に記載の摩耗部材。
【請求項５４】
上にベースが固定される掘削機に対するアタッチメントのための摩耗部材であって、この摩耗部材が、前記ベース上の相補的な形状の舌状部を収容するための少なくとも１つの側方肩部を有する結合構造を形成する脚部と、ロックを収容する開口部と、前方に突出する作用部と、前記ベースの支持面に当接するようになっている、後方に面している当接面とを備え、前記当接面が、２つの直交する方向に湾曲している摩耗部材。
【請求項５５】
前記当接面は、球面部分を形成している、請求項５４に記載の摩耗部材。
【請求項５６】
前記開口部は、横方向部分と、前記摩耗部材の後方壁部に開口する軸方向部分とを有する、請求項５４に記載の摩耗部材。
【請求項５７】
前記開口部は、湾曲した形態を有する後方壁部を有する、請求項５４に記載の摩耗部材。
【請求項５８】
前記摩耗部材は、刃の部分を取付けるアダプタであり、前記結合構造は、少なくとも１つの側方肩部を有するスロットである、請求項５４に記載の摩耗部材。
【請求項５９】
摩耗部材を取付けるために、掘削機の掘り起こし刃に取付けるようになっており、前方支持面の前方縁部を覆う概してＵ字状構造を有し、かつ摩耗部材を収容して保持する横方向に延びる肩部を有する結合構造を有する脚部と、本体とを備え、この本体が、前方支持面のほぼ全体にわたって湾曲して前記摩耗部材の相補的な面に当接する凸状の前方支持面と、後方に面してロックに当接する後方支持面とを有するベース。
【請求項６０】
前記支持面は、２つの直交する方向に湾曲している、請求項５９に記載のベース。
【請求項６１】
前記支持面は、第１の脚部の幅と概して平行な方向に湾曲している、請求項５９に記載のベース。
【請求項６２】
前記支持面は、第１の脚部の幅と概して直角な方向に湾曲している、請求項５９に記載のベース。
【請求項６３】
前記支持面は、球面部分を形成している、請求項５９に記載のベース。
【請求項６４】
前記前方支持面及び後方支持面の曲率半径は、ほぼ同じ点を起点としている、請求項５９に記載のベース。
【請求項６５】
前記結合構造は、Ｔ字状の舌状部である、請求項５９に記載のベース。
【請求項６６】
前記前方支持面は、凸状の球面部分を形成している、請求項５９に記載のベース。
【請求項６７】
前記後方支持面は湾曲している、請求項５９に記載のベース。
【請求項６８】
前記前方支持面及び後方支持面は、それぞれ凸状湾曲部を有する、請求項５９に記載のベース。
【請求項６９】
前記前方支持面及び後方支持面は、それぞれ球面部分を形成し、前記支持面の各々を決める曲率半径は、同じ起点を有する、請求項５９に記載のベース。
【請求項７０】
摩耗部材を取付けるために、掘削機の掘り起こし刃に取付けるようになっているベースであって、摩耗部材を収容して保持する横方向に延びる肩部を有する結合構造と、前記摩耗部材の相補的な面に当接する凸状の前方支持面を有する本体と、後方に面してロックに当接する凸状の後方支持面とを有するベース。
【請求項７１】
前記前方支持面及び後方支持面の曲率半径は、ほぼ同じ箇所を起点としている、請求項７０に記載のベース。
【請求項７２】
摩耗部材をベースに取付けるのに適合しているロックであって、この摩耗部材が、前記ロックを収容する開口部を有し、前記ロックが、前方部材と、後方部材と、前記前方部材と後方部材との間の弾性部材と、アクチュエータとを有し、前記後方部材が、アダプタ内で前記開口部の後方壁部に当接する後方面を有し、前記アクチュエータが、前記ベースの後方支持面に当接する前方面を有し、前記アクチュエータが、前記前方面及び後方面を互いに離れるように動かし、前記アダプタとボスとの接続を強めるように作動可能であり、前記アクチュエータが、さらに、前記前方部材及び後方部材を一緒に引っ張って前記弾性部材を圧縮するように作動可能であるロック。
【請求項７３】
前記アクチュエータはネジである、請求項７２に記載のロック。
【請求項７４】
前記ネジは、前記前方部材にねじ込み接続されている、請求項７３に記載のロック。
【請求項７５】
前記前方面は、凹状の湾曲面を形成している、請求項７２に記載のロック。
【請求項７６】
前記前方面は、球面部分を形成している、請求項７５に記載のロック。
【請求項７７】
前記弾性部材はエラストマーである、請求項７２に記載のロック。
【請求項７８】
共通の軸の周囲に延びている複数の螺旋状アームと、
各アームに取付けられた複数の刃とを具備する浚渫カッターヘッドであって、
前記刃の各々は、
前記アームのうちの１つに固定され、第１の結合構造と、湾曲している凸状の前方支持面と、後方支持面とを有するベースと、
第２の結合構造を有し、前記第１及び第２の結合構造が、一緒に結合されており、また、前記前方支持面と当接する湾曲した凹状の当接面と、支持壁部を有する開口部とを有するアダプタと、
前記開口部に前記開口部の後方支持面及び後方壁部に対向するように入れられ、前記結合構造の解放を防ぎ、それにより前記アダプタを前記ベースに対して保持するロックとを有する浚渫カッターヘッド。
【請求項７９】
前記前方支持面と当接面とは、各々、同じ曲率半径で相対的に湾曲している、請求項７８に記載の浚渫カッターヘッド。
【請求項８０】
前記前支持方面と当接面とは、各々、球面部分を形成している、請求項７８に記載の浚渫カッターヘッド。
【請求項８１】
前記ロックは、前記後方支持面と係合する接触面を有し、前記接触面及び後方支持面は、それぞれ、球面部分を形成している、請求項７８に記載の浚渫カッターヘッド。
【請求項８２】
前記接触面と後方支持面とは、同じ起点での同じ曲率半径を有している、請求項７８に記載の浚渫カッターヘッド。
【請求項８３】
前記ロックは、前記後方支持面と係合する接触面を有し、前記接触面及び後方支持面は、それぞれ湾曲している、請求項７８に記載の浚渫カッターヘッド。
【請求項８４】
前記第１及び第２の結合構造のうちの一方は、Ｔ字状の舌状部であり、前記第１及び第２の結合構造のうちの他方は、嵌合Ｔ字状スロットである、請求項７８に記載の浚渫カッターヘッド。
【請求項８５】
前記ロックは、前記後方壁部と対向する第１の接触面と、前記後方支持面と対向する第２の接触面とを有し、前記ロックは、さらに、前記第１及び第２の接触面を互いに離れるように選択的に動かして、前記アダプタの前記ベース上への係合を強める、請求項７８に記載の浚渫カッターヘッド。
【請求項８６】
前記アクチュエータは、ネジを有し、このネジの自由端部は、前記第１及び第２の接触面のうちの一方を形成している、請求項８５に記載の浚渫カッターヘッド。
【請求項８７】
前記第２の接触面及び後方支持面は、それぞれ湾曲しており、かつ互いに当接している、請求項８６に記載の浚渫カッターヘッド。
【請求項８８】
前記第２の接触面及び後方支持面は、それぞれ球面部分を形成している、請求項８７に記載の浚渫カッターヘッド。
【請求項８９】
前記ロックは、前方部材と、後方部材と、これらの間の弾性部材とを有し、前記アクチュエータは、前記アダプタと前記ベースとの間に摩耗が生じたときに、前記弾性部材が、前記アダプタを前記ベースに対して締め付けることができるように、前記ロックが前記開口部内にある場合に、前記前方部材と後方部材との間で前記弾性部材を圧縮するようになっている、請求項８５に記載の浚渫カッターヘッド。
【請求項９０】
前記アクチュエータは、ネジである、請求項８９に記載の浚渫カッターヘッド。
【請求項９１】
前記弾性部材は、エラストマーである、請求項９０に記載の浚渫カッターヘッド。
【請求項９２】
各ベースは、それぞれのアームの一体部として鋳造されている、請求項７８に記載の浚渫カッターヘッド。
【請求項９３】
ベース部材と、複数の前方に突出するアームとを備える浚渫カッターヘッドであって、各アームが、掘削刃を前記アームに取付けるために、ベース部材を配置して位置決めする複数の離間したロケータ突出部を有する前方縁部を有する浚渫カッターヘッド。
【請求項９４】
前記ロケータ突出部は、前記アームの前縁部に沿って設けられた凹部内に配置されている、請求項９３に記載の浚渫カッターヘッド。
【請求項９５】
共通の軸の周囲に延びる複数の螺旋状アームと、
各アームに取付けられた複数の刃とを具備する浚渫カッターヘッドであって、
前記刃の各々は、
前記浚渫カッターヘッドの各アームに固定され、第１の結合構造と、前方支持面と、後方支持面とを有するベースと、
前記第１の結合構造に嵌合して、解放方向を除いてアダプタの解放を防ぐ第２の結合構造と、前記前方支持面に当接する当接面と、支持壁部を有する開口部と、刃の部分を支持する前方に突出する突出部とを有するアダプタと、
前記開口部に収容されて前記開口部の後方支持面及び支持壁部に対向し、前記解放方向での前記結合構造の解放を防ぎ、それにより前記アダプタを前記ベースに対して保持し、かつアクチュエータと弾性部材とを有するロックとを具備し、このロックは、前記開口部内にあるときに、前記アクチュエータは、前記アダプタを前記ベースに対して固く嵌合させて、前記弾性部材を圧縮するように作動可能になっており、前記弾性部材は、アセンブリ内で摩耗が生じた場合に、前記ロックを膨張させて、前記アダプタの前記ベースに対する係合を強めるロックとを備える浚渫カッターヘッド。
【請求項９６】
前記ロックは、前記後方壁部と対向する第１の接触面と、前記後方支持面と対向する第２の接触面とを有し、また、このロックは、さらに、前記第１及び第２の接触面を互いに離れるように選択的に動かして、前記アダプタの前記ベース上への係合を強める、請求項９５に記載の浚渫カッターヘッド。
【請求項９７】
前記アクチュエータは、ネジを有し、このネジの自由端部は、前記第１及び第２の接触面のうちの一方を形成している、請求項９６に記載の浚渫カッターヘッド。
【請求項９８】
前記ロックは、前方部材と、後方部材と、これらの間の弾性部材とを有し、前記アクチュエータは、前記アダプタと前記ベースとの間に摩耗が生じたときに、前記弾性部材が、前記アダプタを前記ベースに対して締め付けることができるように、前記ロックが前記開口部内にある場合に、前記前方部材と後方部材との間で前記弾性部材を圧縮するようになっている、請求項９５に記載の浚渫カッターヘッド。
【請求項９９】
前記アクチュエータは、ネジである、請求項９８に記載の浚渫カッターヘッド。
【請求項１００】
前記弾性部材は、エラストマーである、請求項９９に記載の浚渫カッターヘッド。
【請求項１０１】
前記ロックは、さらに、前記弾性部材の圧縮を制限する少なくとも１つのストップを有する、請求項１００に記載の浚渫カッターヘッド。
【請求項１０２】
前記ベースは、それぞれのアームの一体部として鋳造されている、請求項９５に記載の浚渫カッターヘッド。
【請求項１０３】
浚渫カッターヘッドのアームに刃を取付けるためのアセンブリであって、前記アームに固定されるようになっているベースを備え、かつ前方支持面のほぼ全体にわたって湾曲した凸状の前方支持面と、当接面のほぼ全体にわたって湾曲し、前記前方支持面に当接する凹状の後方支持面と、刃の部分を支持する前方に突出する突出部とを有するアダプタとを有し、前記前方支持面及び後方支持面が、ほぼ同じ曲率半径を有するアセンブリ。
【請求項１０４】
前記前方支持面と当接面とは、各々、２つの直交する方向に湾曲している、請求項１０３に記載のアセンブリ。
【請求項１０５】
前記前方支持面と当接面とは、各々、球面部分を形成している、請求項１０４に記載のアセンブリ。
【請求項１０６】
前記ベースは、浚渫カッターヘッドのアームとの一体部として鋳造されている、請求項１０３に記載のアセンブリ。
【請求項１０７】
前記アダプタは、第１の軸方向結合構造と横方向開口部とを有し、前記ベースは、後方支持面と、前記第１の軸方向結合構造と結合して、前記アダプタと前記ベースとの間の、前記アダプタの長手方向と直交する方向での動きを防ぐ第２の軸方向結合構造とを有し、前記アセンブリは、前記開口部内に収容されて、前記開口部の壁部と前記後方支持面とに対向して、前記アダプタの前記ベースに対する軸方向の動きを防ぐロックをさらに有する、請求項１０３に記載のアセンブリ。
【請求項１０８】
前記アダプタは、前記カッターヘッドのアームに溶接されている、請求項１０３に記載のアセンブリ。
【請求項１０９】
浚渫カッターヘッドのアームに刃の部分を取付けるためのアダプタであって、このアーム上に延びる後方に延びる脚部と、刃の部分を取付けるための前方に突出する突出部と、前記アームに固定されたベースの支持面に当接するようになっている後方に面する当接面とを備え、前記当接面が、前記当接面のほぼ全体にわたる凹状の湾曲部分を形成し、前記当接面が、２つの直交する方向に湾曲しているアダプタ。
【請求項１１０】
前記当接面は、球面部分を形成している、請求項１０９に記載のアダプタ。
【請求項１１１】
前記アダプタは、前記アームにほぼ面して、前記ベースの舌状部を収容し、前記アダプタを前記ベースに対して保持する少なくとも１つの横方向に延びる面を有するスロットをさらに有する、請求項１０９に記載のアダプタ。
【請求項１１２】
前記脚部は、前記アダプタを前記ベースに固定するロックを収容する開口部を有する、請求項１１１に記載のアダプタ。
【請求項１１３】
複数の螺旋状アーム及び各アームに取付けられた複数の刃とを具備し、これら刃の各々は、湾曲した凸状の前方当接面を有する前記アームの各々に固定されるベースと、この前方支持面と当接し、湾曲した凹状の後方当接面とを有するアダプタとを有すし、前記前方当接面及と後方支持面とは、ほぼ同じ曲率半径で相対的に湾曲している浚渫カッターヘッド。
【請求項１１４】
前記前方当接面と後方支持面とは、各々球面部分を形成している、請求項１１３に記載の浚渫カッターヘッド。
【請求項１１５】
各ベースは、前記アームの一体部として鋳造されている、請求項１１３に記載の浚渫カッターヘッド。
【請求項１１６】
前記ベースは、前記アームにほぼ面する少なくとも１つの支持面を有する舌状部を有し、前記アダプタは、前記舌状部を収容し、かつ前記支持面と前記アームとの間に配置されて前記アダプタを前記アームに対して保持する部材を有する、請求項１１３に記載の浚渫カッターヘッド。
【請求項１１７】
ロックをさらに具備し、前記アダプタは、前記ロックが、前記アダプタの壁部及び前記ベースの壁部に対向するように入れられて、前記アダプタの前記ベースからの外れを防ぐ開口部を有する、請求項１１６に記載の浚渫カッターヘッド。
【請求項１１８】
前記アダプタは、前記アームに溶接されている、請求項１１３に記載の浚渫カッターヘッド。
【請求項１１９】
ベース部材と、前方に突出した複数の螺旋状アームとを備え、各アームは、各々が、同じ形状の固い固定されたロケータ構造を有する複数の離間したロケータ構造を有する前縁部を有する浚渫カッターヘッドであって、前記ロケータ構造が、掘り起こし部材と明確に結合して、この掘り起こし部材の前記アーム上での位置を正確に決めるような形状になっている浚渫カッターヘッド。
【請求項１２０】
前記ロケータ構造の各々は、前記アームから前方に突出するロケータ突出部を有する、請求項１１９に記載の浚渫カッターヘッド。
【請求項１２１】
前記ロケータ突出部は、前記アームの前縁部に沿って設けられた凹部内に配置されている、請求項１２０に記載の浚渫カッターヘッド。
【請求項１２２】
各ロケータ構造は、特定の形状及び間隔を有する１対の離間した面を有し、少なくとも２つのロケータ構造の前記離間した面は、前記アームの前縁部に対して異なるように配置されている、請求項１１９に記載の浚渫カッターヘッド。
【請求項１２３】
アダプタを浚渫カッターヘッドに正しい位置に取付ける方法であって、
浚渫カッターヘッドに、複数の前方に突出する螺旋状アームを設けることであって、各アームが前方縁部を有し、前記各前縁部が、各々が同じ形態を有する複数の離間したロケータ構造を有することと、
前記アームに対する取り付けのためのアダプタを、前記複数のロケータ構造に設けることであって、前記アダプタの各々が、後方に延びる脚部と、前方に突出する突出部と、前記ロケータ構造のそれぞれと結合できる結合構造とを有することと、
前記アダプタが、前記アームに対して正しく配置されるように、前記ロケータ構造のうちの１つによって、各アダプタの結合構造を結合係合することと、
各アダプタを、前記アーム上の定位置に固定することとを備える方法。
【請求項１２４】
前記ロケータ構造は、前記アームから前方に突出する突出部を有し、前記結合構造は、前記突出部を結合収容するポケットを有する、請求項１２３に記載の方法。
【請求項１２５】
前記ロケータ構造は、１対の離間した前方に面する面を有し、前記結合構造は、１対の対向して後方に面する面を有する、請求項１２３に記載の方法。
【請求項１２６】
前記各アダプタを前記アームに対して固定するために、前記アダプタの各々の開口部内にロックが設けられている、請求項１２３に記載の方法。
【請求項１２７】
前記各アダプタは、前記アームに溶接することによってこのアームに固定されている、請求項１２３に記載の方法。
【請求項１２８】
前記ロケータ構造のうちの少なくとも２つは、前記アームの前縁部に対して異なる方向を有していることを特徴とする請求項１２３に記載の方法。
【請求項１２９】
ベースリングと、ハブと、それらの間に延びる複数のアームとを備える浚渫カッターヘッドであって、各アームが、複数の離間したベースを有する前縁部を有し、各ベースが、前記アームに固定されるアダプタ上の相補的な支持面に当接するために、凸状の概して球状構造を有する前方対向支持面を有する浚渫カッターヘッド。
【発明の詳細な説明】
【技術分野】
【０００１】
本発明は、摩耗部材を掘削装置に対して固定するためのアセンブリ、特に、アダプタを浚渫カッターヘッドに取付けるためのアセンブリに関する。
【背景技術】
【０００２】
浚渫カッターヘッドは、水面下、例えば川床の土砂を掘削するのに使用される。浚渫カッターヘッドの一例を図１７に示す。一般に、浚渫カッターヘッドは、ベースリング１６からハブ２３へ延びるいくつかのアーム１１を有する。このアームは、このベースリングの周りに等間隔にあり、このカッターヘッドの中心軸周りに広いスパイラルが設けられている。各アームは、土砂を掘り起こすための一連の離間した刃１２を備えている。
【０００３】
使用時において、上記カッターヘッドは、その中心軸周りに回転されて、土砂を掘削する。所望量の地面を掘削するために、このカッターヘッドは、左右及び前方に動かされる。海膨や波の動きのため、このカッターヘッドは、上下にも動きやすく、周期的に底面にぶつかる。この特有のカッティング動作の結果として、浚渫カッターヘッドの刃は、重い横方向の負荷及び重い軸方向の負荷、およびこの刃を上下及び横方向に押す重い衝撃押し上げ負荷を受ける。この刃の重い横方向の負荷は、さらに、オペレータに、水面下で掘削されている地面を見る能力がないことから生じる。他の掘削機（例えば、フロントエンドローダ）とは違って、浚渫カッターヘッドのオペレータは、掘削すべき地面に最も良く適応するように、経路に沿ってこのカッターヘッドを有効に案内することができない。
【０００４】
上記カッターヘッドの回転性の掘り起こし動作により、各刃は、採掘刃の場合の１分間に約１回と比較して、１分間に３０回程度、地面を貫通する。その結果として、この刃は、使用中に、かなり摩耗する。従って、このカッターヘッドの作業休止時間を最少にするために、この刃を容易に取外しかつ取付けることが好ましい。掘削装置のための摩耗アセンブリに共通していることであるが、浚渫刃は、交換を必要とする用具の量を最少にするように、例えば、摩耗した部材のみが交換を必要とするように、複数の一体接続された部材を備える。
【０００５】
図１７の実施例においては、各刃は、ベース１８と、アダプタ１３と、尖端、即ち、先端部１７と、ロック２９とを有する。ベース１８は、掘り起こしを強化するために、アーム１１の特定の位置及び方向に鋳造されている。アダプタ１３は、上記ベース内に形成されたソケット１４内に収容される後方端部２２と、先端部１７を保持する、前方に突出した突出部１５とを有する。取外し可能なロック２９は、刃の先端部１７に要求される頻繁な交換を容易にするために設けられている。上記アダプタは、後方端部２２の周囲に溶接された大きな隅肉によって上記ソケット内に保持される。他の公知の浚渫カッターヘッド１においては、アダプタ２は、アーム３（図１８）の周囲を包むように構成されている１対の脚部を形成するように二叉に分かれている。これらのアダプタは、ベース部材を要することなく、上記アームに直接溶接されている。
【０００６】
上記刃の先端部は、浚渫カッターヘッドにおいて最も頻繁な交換を要するが、このアダプタも摩耗し、定期的な交換を要する。しかし、浚渫カッターヘッドの単一のアダプタを交換することでさえ、長いプロセスである。上記溶接したアダプタは、先ず、トーチによって切断しなければならない。次いで、このアダプタの取外しによって損傷したアーム及びベースの部分を修復しかつ復元しなければならない。最後に、新しいアダプタを、定位置に溶接する。このプロセスは、通常、１つのアダプタにつき１０〜１２人時を必要とする。従って、たった１つのアダプタを交換する場合でも、掘り起こし作業における長い遅れが避けられない。また、この長い遅れのため、オペレータは、いくつかのアダプタが、このカッターヘッドを作業から外すための交換を要するまで、待つ場合がある。その結果、一般的に生じる作業の実際の遅れは、より長くなる。実際に、５０〜６０の刃を有する一般的なカッターヘッドの場合、このカッターヘッド全体の復元プロセスは、６００人時以上を必要とする。ユンセツ時間の実質的な損失を避けるための努力においては、たいていの浚渫作業は、１つまたはそれ以上のアダプタが交換を必要とし、このカッターヘッドが復元を要した場合、あるいは、このカッターヘッドが破損した場合、このカッターヘッド全体を交換することができるように、３つまたは４つのカッターヘッドを保持している。しかし、カッターヘッドは高価である。使用されずに、使用されたものが修理されるときにのみ保持されている余分なカッターヘッドを保持することは、資源の好ましくない利用である。
【０００７】
本発明の１つの態様においては、上記アダプタは、容易な取付け及び取外しのために、上記アームに機械的に取付けられている。このアダプタは、このアダプタを溶接することなく、単に機械的構造によって、上記アームのベースに保持されている。好適な構造において、このベース及びアダプタには、このアダプタが、解放方向を除いて、このベースから解放されることを防ぐ相補的な結合構造が設けられている。取外し可能なロックは、この解放方向における、このアダプタのこのベースからの好ましくない解放を防ぐために使用される。機械的な取付けの場合、上記アダプタは、単にこのロックを外して、このアダプタを上記解放方向に動かすことによって容易に交換することができる。切断すべき溶接部はなく、上記ベース及びアームを修復する必要もなく、また、再び溶接を施すことも必要ない。溶接されたアダプタを交換するための１０〜１２人時とは対照的に、本発明による機械的に取付けたアダプタは、１０分程で交換することができる。このことは、上記カッターヘッドのための作業休止時間を実質的に削減するだけではなく、浚渫現場におけるスペアのカッターヘッドもなくすことができる、画期的な進歩である。その結果、通常、浚渫現場において、３つまたは４つのカッターヘッドを必要とする代わりに、たった２つか３つを必要とすることになる。
【０００８】
本発明の好適な構成においては、上記アダプタは、上記ベース上の相補的形状の舌状部を収容する、概してＴ字状のスロットと、ロックを収容するための開口部とを有する。このロックは、この開口部に挿入されたときに、このベースの壁部、およびこの開口部の壁部と対向して、この舌状部及びスロットの解放を防ぎ、それにより、このアダプタをこのベースに対して保持する。
【０００９】
フロントエンドローダ等の様々な掘削機のアダプタは、掘削バケットに取付けるのが一般的である。例えば、米国特許第５，６５３，０４８号明細書は、掘削バケットの縁に溶接されたＴ字状のボスを収容するＴ字状スロットを有するアダプタについて開示している。上記アダプタの上部の開口部には、このアダプタのこの縁からの紛失を防ぐために、ロックが嵌合されている。上記ボスの前端部には、このアダプタのための軸方向の支持を可能にするために、支持面が形成されている。この構造は、アダプタを掘削バケット上に良好に支持するが、浚渫カッターヘッドに対する使用には、うまく適応していない。
【００１０】
掘削バケットにおいては、この刃は、このバケットが前方に動かされて地面を貫通するときに、主に軸方向の負荷をうける。しかし、上述したように、浚渫カッターヘッド上の刃は、このカッターヘッドが操作される動作により、重くかつ頻繁な横方向の負荷をうける。上記０４８号明細書においては、アダプタ４は、組立てを容易にするためのわずかな側部の隙間によって、ボス５上を滑動する。刃の部分６に対して加えられた大きな側方の負荷は、上記アダプタを、部材間の画定された隙間の範囲まで（図１６）、収容したボスの周りに回転させようとする。このアダプタのこの回転は、上記アセンブリの角部における本質的な点接触によって発生する抵抗力Ｒ１〜Ｒ４及び高応力を結果として生じる。真の点接触は不可能であるが、この用語を、比較的小さな領域に対して大きな力が加わることを指すのに用いる。具体的には、上記ベース及びロック７の前部の点接触部に、大きな力Ｒ２、Ｒ３が加わると、構成部材に対して、非常に高いレベルの応力が生じる。このような高いレベルの応力も、この部材の非常に大きな摩耗をそれぞれの位置において生じ、また、この部材の寿命を短くしてしまう。摩耗の増加も、上記隙間を拡大させて、使用中の構成部材のがたつきにつながるおそれがある。上記部材のこのようながたつきは、この部材の摩耗をさらに早める。
【発明の概要】
【発明が解決しようとする課題】
【００１１】
通常の掘り起こし、例えば、フロントエンドローダを用いた掘り起こしにおいては、上記アダプタとベースとの間にみじんが詰まって、摩耗により、上記部材間に大きな隙間が生じても、がたつきが低減され、またはなくなる。しかし、浚渫作業においては、水が、この隙間の内外にこのみじんを押し流し、この部材間でのみじんの蓄積を防いでしまう。部材間の上記隙間は、浚渫作業において、通常、残存し、公知の構造による浚渫カッターヘッド上のボスに機械的に取付けられたアダプタは、このボスに対して継続的にがたつき、かつ大きな負荷を、このアダプタの前部及び後部に沿って点接触で繰り返し加える可能性がある。また、上記みじんは、常に、水によって、上記部材間の隙間の内外に押し流されるので、このみじんは、実際には摩滅物として作用して、上記部材の摩耗をさらに悪化させる可能性がある。従って、浚渫作業のためのアダプタは、今まで、浚渫カッターヘッドアームに機械的に取付けられていなかった。
【課題を解決するための手段】
【００１２】
しかし、これらの欠点は、浚渫刃におけるアダプタを、上記アームに機械的に取付けることができるような本発明において克服される。具体的には、上記ベースの前部は、湾曲し、かつこのアダプタの相補的な当接部と接触している。その結果として、側方の負荷が、このアダプタを回転させるように押した場合、支持面の弓状形状は、実質的にこの面を互いに完全に面一に接触したままにする。この完全な接触構成は、点接触とは対照的に、上記構成部材の角部でうける応力を大幅に低減する。高負荷を本質的に点接触として加わるのではなく、この負荷は、実質的に上記支持面全体に及んで、上記部材における応力を大幅に小さくし、また、この部材の使用寿命をかなり長くする。
【００１３】
好適な構造においては、上記弓状の支持面は、球状セグメントを形成して、水平及び垂直横方向の負荷をうけた状態で、上記アダプタの支持面と上記ベースの支持面との間の実質的に完全な接触を維持する。また、上記ベースの後方支持面と、上記ロックの前方にも、好ましくは、同様に、このロックとベースとの間の実質的に完全な接触を維持する同様の弓状の面が設けられている。好ましくは、上記アダプタの前方及び後方における上記支持面に対する曲率半径は、同じ箇所を起点とする。
【００１４】
本発明の他の態様においては、浚渫カッターヘッド以外の掘削機と共に使用する摩耗部材も、上述した湾曲した支持面を上記アダプタに組み込むことによって恩恵をうける。
【００１５】
本発明の別の態様においては、上記ベースとアダプタとの間の接続を強めるために、ロックが形成されている。強化されたアセンブリは、がたつきを軽減し、それにより、上記刃の使用寿命を長くする。上記０４８号明細書は、上記アダプタを上記ボスに対して締め付けるねじやまを切ったプラグを有するロックについて開示している。それにもかかわらず、掘り起こしの応力及び歪みは、最初に強化した構成でさえも緩めるように作用して、上記ベースに対してずれたりがたついたりして、特に、高頻度の貫通及び浚渫カッターヘッド上の刃の変化する負荷によって、摩耗が増加することになる。さらに、緩んだアセンブリの場合、使用中に、上記構成部材ががたつくのを防ぐものが、水中環境にはなくなることになる。
【００１６】
そのため、本発明の他の態様によれば、上記ロックは、負荷が、上記部材間に摩耗を生じさせた後でも、上記アダプタとベースとの間に強力な係合を維持するアクチュエータと協働する弾性要素をさらに有する。この弾性要素は、１対の固い部材の間に挟まれている。上記アクチュエータは、当初は、上記アダプタを、上記ベースとのきつい係合状態にし、上記固い部材を一緒に引っ張って上記弾性要素を圧縮する。摩耗により、上記アセンブリにおいて、緩みが起き始めると、この弾性要素は、上記ベース上のアダプタのいかなるずれまたはがたつきも抑制するように膨張し、それによって、２つの構成部材間の固い係合を維持する。上記固い部材も、好ましくは、上記弾性要素の過剰な圧縮を防ぐ少なくとも１つのストップを有する。このように、この固い部材は、最初は、上記アダプタとベースとの間にきつくセットされるきつい固定を生じさせ、このきつい固定は、内部の弾性要素を、過負荷による早すぎる故障から保護する。
【００１７】
上述したように、浚渫カッターヘッドにおけるアームは、広い螺旋構造を有する。その結果として、上記刃は、それぞれ、掘り起こしを最大化するために、このアームから特定の方向に突出している。この刃が、上記アーム上に異なる方向に取付けられているため、各アダプタが、このアーム上に適切に配置されることが保障されるように注意すべきである。この追加的な位置決め処置により、それまでのカッターヘッドに新たなアダプタを設けることを必要とする時間が、さらに延びる。図１７に示す実施例において、最初に取付けられたアダプタの周りを固めて、連続するアダプタを、浚渫作業のために適切に配置するように適合された凹部を形成するために、樹脂が上記ソケット内に注入される。それにもかかわらず、このデザインは、なお、上記アダプタを、最初に上記アーム上に適切に配置する、注意深くかつ時間のかかる処理と、上記樹脂の注入及び硬化という追加的な作業を要する。
【００１８】
正しく認識できるように、例えば、図１８において、アダプタの上記アームへの直接溶接においては、案内ベースがないので、最大の掘り起こし効率のために、上記アダプタの各々を適切に配置することは、ほぼ不可能である。また、浚渫カッター上のアームは、上記ベースリングから上記刃部へ延びているため、均等な構成を有していない。上記アームに沿って、各指定された位置に特別に嵌合するような特定形状のアダプタを形成しなければならないことに関するコスト及び問題を避けるために、このアダプタは、このアーム上に汎用的に嵌合するように形成される。その結果として、この嵌合は、一般的に緩く、それに伴って、溶接時にこのアダプタを適切に配置することがより困難になる。そのため、掘り起こし効率は、一般に、そのような刃の浚渫カッターへの不適当な取付けで損なわれる。
【００１９】
本発明の別の態様においては、上記アームには、上記刃を所望の方向に適切に配置するために、このアームの前端部に沿って、複数の離間したロケータ構造が設けられている。このロケータ構造は、それぞれ同じ構造形態を有しているが、周囲のアームの輪郭に対するそれらの方向は、このアームに沿った特定の位置に対して各刃を適切に配置するために異なっていてもよい。本発明の１つの態様においては、個々のベース部材は、上記アダプタを上記アーム上に適切に支持しかつ配置するように、上記ロケータ構造と一致して嵌合する相補的な結合構造を備えている。その結果として、各ベースは、このアームに沿って取付けられるか否かに関係なく、同じ形状で形成することができる。また、それらのベースは、簡単で、正確かつ迅速な方法で、上記浚渫カッターヘッド上に配置されるようになっている。本発明の代替の実施の形態においては、溶接するアダプタは、この溶接するアダプタを上記アーム上の適切な位置に容易に固定できるようにこのアーム上に設けられたロケータ構造と整合する結合構造を有する。本発明のベースと同様に、これらのアダプタは、それぞれ、同じ形状を有するように、かつ上記アームに沿って取付けられるか否かに関係なく、容易に適切な位置に配置されるように形成することができる。
【図面の簡単な説明】
【００２０】
【図１】本発明に係るアタッチメントアセンブリの前方斜視分解組立図である。
【図２】本発明に係るベースの斜視図及び仮想球を示す図である。
【図３】ベースの上面図である。
【図４】ベースの側部立面図である。
【図５】本発明に係る浚渫カッターヘッドのアームの一部の斜視図である。
【図６】アーム上に配置されたベースの上面斜視図である。
【図７】本発明に係るアダプタの後方斜視図である。
【図８】アダプタの側部立面図である。
【図９】アダプタの上面図である。
【図１０】本発明に係るロックの分解組立て斜視図である。
【図１１】ロックの側部立面図である。
【図１２】ロックの上面図である。
【図１３】ロックの斜視図である。
【図１４】図１３の線ＸＩＶ−ＸＩＶに沿ったロックの断面図である。
【図１５】側部負荷をうけているときの、本発明に係る刃の上面概略図である。
【図１６】側部負荷をうけているときの、従来の刃の上面概略図である。
【図１７】従来の浚渫カッターヘッドの斜視図である。
【図１８】別の従来の浚渫カッターヘッドの斜視図である。
【図１９】別の実施の形態における浚渫アーム上に取付けられた溶接アダプタの斜視図である。
【図２０】代替の溶接アダプタの側面図である。
【発明を実施するための形態】
【００２１】
本発明は、摩耗部材を掘削機に固定するためのアセンブリに関する。本発明は、浚渫作業独特の激しい横方向の負荷にうまく耐え、かつ上記部材のがたつきを軽減する、好適な構造における刃の能力のため、浚渫カッターヘッド上に刃を取付けるのに特に適している。にもかかわらず、本発明による刃は、他の掘削機と共に使用することもできる。また、掘削装置（例えば、囲い板）に用いるその他の摩耗部材を、本発明を利用して取付けることもできる。
【００２２】
本発明によれば、刃３０は、ベース、即ち、マウント３２と、アダプタ３４と、先端部（図示せず）と、ロック３６（図１）とを有する。この刃部材は、浚渫装置の動作が、上記刃に様々な方向を向かせることになるが、上下などの相対的な用語で説明する場合もある。それらの方向は、説明のためだけに使用され、通常、図１の方向に関して理解すべきである。
【００２３】
好適な構造においては、ベース３２は、下方脚部３８と、前部本体４０と、支持力向上のために、カッターヘッドのアーム４８の前縁部４４に巻き付く概してＵ字状形態（図１〜４）の上方脚部４２とを有する。このベースは、好ましくは、溶接により上記アームに固定される鋳造の１個構成の部材であるが、複数個構成の構成部材として、機械的に取付けまたは構成することもできる。別法として、上記ベースは、上記アームの一体部分（図示せず）としての鋳造物である構造として、このアームに固定することもできる。
【００２４】
下方脚部３８は、アーム４８の下側４７に沿って少しだけ延びているが、この脚部は、省略してもよく、あるいはさらに伸ばした構造としてもよい。上方脚部４２は、アーム４８の上側５５に沿って後方に延びており、上記アダプタを固定するための結合構造５６を有する。浚渫カッターヘッドのアームの下側、即ち、内側４７は、より近づきにくいので、上記結合構造は、好ましくは、このアームの上側、即ち、外側５５にあるように形成される。しかし、代替の構造も可能である。例えば、上記脚部は、上記アームに対して逆にすることもでき、あるいは、結合構造を、このアームの上側及び下側の両方に設けることもできる。脚部３８、４２及び本体４０は、上記アームと面する内面５４を、集合的に形成する。上記ベースの上記アームへの効率的な溶接を容易にするために、内面５４は、この内面が向かい合う、アーム４８の一部の輪郭に実質的に適合するような形状に形成される。上記ベースは、このベースを上記カッターヘッドにしっかり固定するために、ほぼその外周部全体に沿って上記アームに溶接される。
【００２５】
上方脚部４２は、上記アームの上側５５に沿って、本体４０の後方に延びており、上記アダプタを固定するための結合構造５６を形成する。この結合構造は、好ましくは、アダプタ３４上の相補的な構造５８に滑動可能に係合する軸方向のＴ字状の舌状部５７である。しかし、少なくとも１つの横方向に延びた肩部を備えた他の構造を、上記アダプタと上記ベースとを結合するのに用いることもできる。例えば、結合構造５６は、あり継ぎ舌状部や、横方向に対称的に広がる他の舌状部等の他の概してＴ字状の舌状部、または、Ｔ字状、あり継ぎまたはその他の形状を有するスロットとして形成することができる。少なくとも、上記上方脚部は、好ましくは、最初は本体４０よりも上に延びて、上記アダプタが、この本体上を滑って通り、上記舌状部に結合できるようにする。上方脚部４２の後端壁部は、ロック３６に係合するようになっている後方支持面６０を形成する。より詳しく後述するように、この後方支持面は、好ましくは湾曲しており、より好ましくは、凸状球面セグメント（図２）を形成する。しかし、恩恵は減るが、平坦な後方支持面を使用することもできる。
【００２６】
本体４０は、アーム４８の前縁部４４から前方に突出して、使用中に、刃３０に加わる力に耐える。好適な構造においては、上記本体は、側壁５０、５２と、上壁及び底壁６４、６６と、前方支持面６８とを有する。前方支持面６８は、より詳しく後述するように、上記刃の横方向の負荷時に、上記アダプタ上の相補的な面とのほぼ完全な面接触を保つための凸状で湾曲した形状を有する。好適な構造においては、前方支持面６８は、（図２の斜線部分で示すような）凸状球面部分を形成して、側方負荷、上方負荷、下方負荷または上記刃の長手方向軸６９と直交する力を加えるいかなる力等のいずれかの方向で横方向の負荷に適応する。しかし、支持面６８には、球面ではなく、水平方向及び垂直方向の両方に湾曲した面を設けることもできる。この種の構造においては、湾曲方向のいずれか一方または両方に対する曲率半径は、固定することができ、または可変とすることができる。また、支持面６８は、恩恵は減るが、一方向のみに湾曲した形状を備えることも可能である。例えば、支持面６８は、水平方向または垂直方向のみに、あるいは、特定の所望の方向に湾曲させることができる。しかし、一方向のみに湾曲させた場合、所望の全面接触は、上記支持面の湾曲とほぼ同じ方向の横方向の負荷に対してのみ維持される。支持面６８を決める曲率半径は、上記ベースと上記アダプタとの間に存在する相対的な隙間に基づいている。例えば、上記アダプタを、特に上記結合構造に沿って上記ベースに結合できることを保障するために、上記部材間には隙間が形成されている。側方負荷が上記刃の先端に加わると、上記アダプタは、上記隙間が、側方負荷に対向する結合を形成する対角的に対向する角部において、上記側部に沿って閉じるまで回転する。上記ベースと上記アダプタとの間の隙間が、上記ベース３２の前端部及び後端部に沿って同様である場合には、このアダプタの回転の中心は、ベース３２のほぼ中間部Ｍ（例えば、支持面６０、６８間の中間部）になる。しかし、上記隙間が、他方の端部と比較して、一方の端部においてより小さい場合には、上記回転の中心は、上記部分間の不均衡の程度により、より小さい隙間を有する端部の方に近づき、例えば、この隙間の不均衡が大きいほど、より小さい隙間を有する端部に対する回転の中心のずれは大きくなる。好適な構造においては、上記回転の中心は、曲率半径に対する仮想中心点として使用される。正しく認識できるように、上記側面に沿った隙間の差は、上記ベース及びアダプタの上部及び底部に沿った隙間と異ならせることができる。この構造において、水平方向の曲率は、好ましくは、複数の隙間の間隔に対応するように、垂直方向の曲率と異なっている。
【００２７】
好適な構造においては、図２に示すように、後方支持面６０は、前方支持面６８と同じように湾曲しているが、これらの支持面は、異ならせることもできる。従って、上記後方支持面は、前方支持面６８の場合に説明したように、同じ方法で（例えば、一方向またはそれ以上の方向の湾曲を有して）変形させることができる。好ましくは、後方及び前方支持面６０、６８は、上記アダプタの回転の中心と一致する同じ箇所から始まる曲率半径によって決まる。しかし、重い負荷がかかった上記部材の不可避のたわみにより、上記前方及び後方支持面の曲率半径を決める箇所に、ある程度の相違が生じる可能性がある。さらに、後方支持面６０は、曲率半径を決めるための大幅に異なる始動箇所を有することができ、あるいは、この支持面は、平坦にすることさえ可能であるが、そのような構造は、上記ロック及び上記ベースの後部に高い応力をかけることになる。そのため、上記前方支持面及び後方支持面は、同じ曲率を有してもよいが、単純に対応する曲率を有してもよく、例えば、この支持面が、それぞれ異なる長さを有していても、曲率半径が同じ箇所を起点としてもよい。例えば、上記アダプタの回転の中心が、上述したように、上記前端部よりも後端部に近い場合、後方支持面６０は、好ましくは、前方支持面６８よりも小さな曲率半径を有する。
【００２８】
アーム４８の前縁部４４には、好ましくは、上記掘削刃を取付けるための複数の離間したロケータ構造が設けられている。好適な実施の形態においては、各ロケータ構造は、凹部７１から突出するロケータ突出部７０（図５）を有する。好適な構造においては、各ロケータ突出部は、型内の特定形状の中子を用いた、上記アームの一部としての鋳造物である。この中子は、この型内において、各刃を上記アーム上に適切に配置するのに必要な方向に配置される。このようにして、上記アダプタを上記アーム上に配置する際には、何も難しいことはない。アーム４８内に鋳造されたロケータ突出部７０は、既に、上記刃に対する所望の方向を備えている。
【００２９】
好適な構造においては、上記ロケータ突出部は、アーム４８の前縁部に形成された凹部７１から突出している。この凹部の底部のトラフ面７２は、上記ベースの本体の側壁５０、５２の内縁部５３、５４と対向し、好ましくは、小さな隙間を残している。この隙間も、オペレータが、必要に応じて、上記アームから上記ベースを容易に切断できるようにする。好ましくは、溶接処理に適応するために、側壁５０、５２の外側面７４、７５と、べベル面７６との間には、間隔７３が設けられている。上記アダプタは、切断効率を最大限にするために、掘削刃を適切に配置するようにロケータ構造６５と相互に作用する結合構造７８を有する。この構造においては、ベース３２の本体４０は、ロケータ突出部７０を嵌合収容して、上記アームのベースを適切に配置しかつ支持するポケット７７を形成する。突出部７０の側面７９及び自由端部面８０は、ポケット７７を形成する相補的な面に対して嵌合し、上記刃を上記アーム上に正しく配置し、かつ溶接に加えて、上記ボスに対する支持を形成する。このため、突出部７０は、好ましくは、相当の前方伸長部を有する。好適な構造においては、この突出部は、約０．７５〜２．２５インチの範囲内で、トラフ面７２を越えて約１．５０インチ延びている。しかし、それより短いまたは長い突出部の伸長も可能である。
【００３０】
アダプタ３４の形態をとる摩耗部材（図１及び７〜９）は、ベース３２に取付けられる後方部８６と、尖端、即ち、先端（図示せず）を保持する前方部８８とを有する。好適な構成においては、この前方部は、上記尖端のソケットに収容される、前方に突出する突出部を有する。この突出部は、先端部を取付けるためのどのような形態も有することが可能である。この実施の形態において、上記前方部は、上記尖端を上記アダプタに対して保持するロックピン（図示せず）を収容するスロット９２をさらに有する。後方部８６は、上方脚部９４と、下方脚部９６と、中間部９８とを有する。アダプタ３４の下方各部９６は、底壁部６６に重なる。脚部９６の後端部９７は、極端な負荷がかかったときに、前壁部１０１が、上記アダプタの上記ベースに対するずれを止めるように機能するように、このベースの前壁部１０１と対向する。上方脚部９４は、ベース３２の上壁部６４と上方脚部４２とに重なるために、後方に延びている。アダプタ３４の上方脚部は、ベース３２の結合構造５６に嵌合するようになっている結合構造５８を有する。そのため、アダプタ３４の結合構造は、ベース３２のための結合構造と同じように変更することができる。好適な構成においては、上方脚部９４は、Ｔ字状舌状部５７を嵌合収容するＴ字状スロット１０３を有する。Ｔ字状スロット１０３は、舌状部５７の収容を容易にするために、内側面１０４に沿って、かつ上方脚部９４の後壁部１０６内で開口している。リブ１０７は、使用中の亀裂に耐えるように強度を高めるため、好ましくは、中間部９８の内縁部１０８に沿って形成されている（図１、７及び８）。
【００３１】
アダプタ３４の中間部９８は、ベース３２の前方支持面６８に当接するようになっている当接部、即ち、当接面１０５を有する内側凹部１０９を有する。当接部１０５は、アーチ状の前方支持面６８と一致するような形状で、アーチ状及び凹状になっている。それに応じて、当接部１０５及び支持面６８は、それぞれ、好ましくは、本質的に同じ曲率半径を有する球面部分を形成するが、この湾曲部は、重い負荷がかかったときに、上記部材で生じるたわみのため、最初は一定の範囲内で異なっていてもよい。上述したように、当接部１０５及び支持面６８の好適な形状は、上記アダプタ及びベースの前端部及び後端部間の隙間によって決まる曲率によって決まる。最も好適な構成においては、上記ベースとアダプタとの間の間隙は、湾曲した支持面６８、１０５が、それぞれ球面部分を形成するように、側面に沿って、および上部及び底部に沿って、前方から後方まで均等である。上記球面部分を画定する曲率半径の実際の好ましいサイズは、上記間隙及び上記部材の実際のサイズに依存することになる。一般的に、面６８、１０５を画定する曲率半径は、広すぎるアーチ形状を有することを避けるために、好ましくは、ベース３２の長さ（例えば、後方支持面６０と前方支持面６８との間の距離）よりも長くはない。
【００３２】
図１５を見て分かるように、側方負荷Ｌ１は、ベース３２に対してアダプタ３４を回転の中心Ｃ周りに回転させようとする。支持面６８、１０５を画定する曲率半径は、同じ回転の中心を起点とする。当接部１０５と支持面６８との嵌合アーチ状構造のため、それらの面は、本質的に互いに圧接される。従って、上記部材の摩耗を早めるような軸方向の点接触として加わる力はない。その代わり、軸方向の負荷は、当接部１０５及び支持面６８のほぼ全体にわたって拡散して、上記部材における応力が大幅に低減される。その結果、結果として生じる力Ｒ２、Ｒ３（図１６）を伴う高応力は、本質的になくなる。
【００３３】
アダプタ３４は、さらに、上方脚部９４の後方部に開口部１１０を有する。（図１及び７〜９）。好適な構成においては、開口部１１０は、湾曲した前壁部１１３及び湾曲した後壁部１１５を有する概して矩形状の形態を有する。しかし、それらの壁部が湾曲していること、または上記開口部が全体として概して矩形状の形態を有することは、必ずしも必要ではない。むしろ、この開口部は、上記アダプタを上記ベースに固定する上記ロックを収容する限りは、実質的にどのような形状も有することができる。使用中に、アダプタ３４のずれがある場合、ロック３６は、このアダプタと共に動こうとする。すなわち、通常、上記ロックとアダプタとの間には、著しいずれはなく、従って、それらの間には、過度の摩耗はない。後壁部１１５好ましくは、ロック３６の調節アセンブリを収容するために、上方脚部９４の後端部１０６を貫通して延びる穴１１７を有する。しかし、穴１１７は、様々な形状を有することができ、あるいは、調節アセンブリが使用されない場合、または、穴１１７によって形成される空間を要しない調節アセンブリが使用される場合には、省くことができる。
【００３４】
ロック３６は、開口部１１０内に収容されるようになっている（図１及び１０〜１４）。好適な構成においては、ロック３６は、開口部１１０の形態に一致する湾曲した前壁部１２３及び湾曲した後壁部１２５を備える、概して矩形状の構造を有する。上記アダプタとロックとの間のずれはありえないが、湾曲した壁部１１５、１２５は、ずれが生じたときに、いかなる摩耗も低減しようとする。しかし、ロック３６は、開口部１１０に対して述べたのと同様に、様々な形状を有してもよい。
【００３５】
好適な構成においては、ロック３６は、外側部１２７と、内側部１２９と、弾性部材１３１と、好ましくはネジの形態をとるアクチュエータとを備える。外側部１２７は、内側部１２９及び弾性部材１３１を収容するキャビティ１３４を形成する。一般に、外側部１２７は、ベース壁部１３５と、上壁部１３７と、底壁部１３９とを有する。ような概してＣ字状である。１対のリップ部１４１、１４３は、上壁部及び底壁部１３７、１３９から互いの方へ延び、内側部１２９及び弾性部材１３１をキャビティ１３４内に収容する。ベース壁部１３５は、ネジ１３３を収容する開口１３６を有する。上記内側部は、中央壁部１４７及び２つの側壁部１４９を有する概してＣ字状の形態も有する。この２つのＣ字状の構成部材は、互いに嵌合して、ボックス状の形状を概して形成する。好適な湾曲した構造においては、側壁部１４９は、外側部１２７の側縁部１５０と一致するように、中央壁部１４７に対して鈍角になっている。内側にねじやまが切られたボス１５１は、ネジ１３３を収容するために、中央壁部１４７の中央から後方に延びている。弾性部材１３１は、好ましくは、エラストマーである。好適な構成においては、このエラストマーは、ネオプレンまたはゴムからなるが、他の種類のエラストマー材を使用することもできる。このエラストマーは、ボス１５１の周囲での内側部１２９内への収容のために形成されている。好適な実施の形態においては、弾性部材１３１は、開口１３８を有するベース部１３２と、１対のアーム部１４２とを有する。しかし、他の形状も用いることができる。また、ベルビルスプリングまたはコイルばね等の他の種類の弾性部材も使用することができる。
【００３６】
上記ロックは、弾性部材１３１を内側部１２９内のボス１５１の周囲に配置することによって組み立てられる。そして、組み合わせられた内側部と弾性部材は、例えば側縁部１５０により、外側部１２７内のキャビティ１３４の側部に横から挿入される。ボス１５１が、一旦、開口１３６と一致すると、ネジ１３３が、好ましくは、開口１３６内に収容されるまで、ボス１５１内にねじ戻される。このネジは、構成部材が偶然に分解されることがないように保障する。
【００３７】
使用時、ロック３６は、舌状部５７をスロット１０３内に収容した状態で、アダプタ３４がベース３２上に配置された後に、開口部１１０内に挿入される。ネジ１３３は、このネジを回転させるための工具（図示せず）を係合する何らかの手段を有する頭１５３を有する。好適な実施の形態においては、ネジ頭１５３は、適切なレンチを受容する内側平坦部１５５を有する。ネジ１３３の自由端部は、このネジがねじ込まれたときに、後方支持面６０に当接する支持面１５７を有する。
【００３８】
後方支持面６０に対してネジ１３３をさらにねじ込むと、ベース壁部１３５の背面１２５が、開口部１１０の後壁部１１５に抗して後方に押される。このロックの拡張により、アダプタ３４の当接部１０５が、ベース３２の前方支持面６８と密接に当接することになる。この当接の後に、ネジ１３３をさらにねじ込むと、内側部１２９が、外側部１２７の方へ動いて、側壁１４９がベース壁部１３５に当接するまで、弾性部材１３１を圧縮する。この側壁は、ベース壁部１３５に当接して、この弾性部材の過圧縮を防ぐ。上記エラストマーが、非圧縮性のゴム材等である場合は、上記内側部と外側部との間に、内側部１２９を外側部１２７に抗して引き抜くことができるような十分な開口空間がある。上記アダプタを上記ベースに結合する際の抵抗力により、この弾性部材は、このアダプタが、このベース上に完全に固定される前に、圧縮される場合もある。少なくとも、内側部１２９を外側部１２７と当接させた状態で、ロック３６は、当初は、固い固定部材である。アダプタ３４とベース３２との間に摩耗が生じると、弾性部材３１は、膨張して、このアダプタのこのベースに対する動きを緩和し、かつ上記刃の構成部材間の固い関係を維持する。このロック３６の膨張は、弾性部材１３１が、その完全な膨張位置に達するまで（例えば、上記内側部が、リップ１４１、１４３に当接したとき）、上記構成部材を一緒に固く保持するように継続する。
【００３９】
ネジ１３３の支持面１５７は、好ましくは、対応する後方支持面６０に係合する凹状でアーチ状の面を有する。最も好適な構成においては、支持面６０及び１５７は、それぞれ、球面部分として形成されている。このようにして、支持面１５７は、横方向の負荷をうけてアダプタ３４がずれたとき（例えば、このアダプタが、その回転の中心周りに回転したとき）、実質的に、後方支持面６０と完全に接触したままである。支持面６０及び１５７は、同じ曲率半径で形成することができるが、ネジ１３３の支持面１５７は、別法として、環状接触で後方支持面６０と接触するように、より小さな曲率半径で形成することができる。上記後方ベース面の球面構造も、ネジ１３３の円形接触が、上記アダプタのいかなるずれの間にも、ベース３２との実質的に完全な接触を保つことを可能にする。
【００４０】
別法として、上記アダプタが上記ベースから前方に滑動することを防ぐように、アダプタ３４及びベース３２に当接する限り、他のロック部材を使用することができる。例えば、本願明細書に組み込まれる、Ｊｏｎｅｓらへの米国特許第５，６５３，０４８号明細書に開示されているような流体アクチュエータ等の異なる調節アセンブリを有するロックも使用することができる。同様に、本願明細書に組み込まれる、Ｊｏｎｅｓらへの米国特許第５，０８８，２１４号明細書に開示されているような、調節アセンブリがない開口部及びロックも使用することができる。
【００４１】
代替の構成においては、溶接アダプタ１７５は、ベース３２を要することなく、浚渫カッターヘッドアーム４８のロケータ構造６５に取付けることができる。このようなアダプタの使用は、上述した機械的に取付けたアダプタの容易な取外し及び取付け処理を可能にしないが、上記ロケータ構造は、このアダプタの容易な位置決め及び追加的な支持を実現できる。好適な構成においては、アダプタ１７５は、上記アームにまたがる１対の二叉脚部１７７、１７８を有する。が、単一の脚部を使用することもできる（図示せず）。単一の脚部を用いた場合、この脚部は、好ましくは、上記アダプタの上記アームへの容易に溶接を可能にするために、このアームの上方側に配置される。このアダプタは、このアダプタを正確に配置して浚渫効率を最大限にするための刃の箇所（図示せず）を設けるために、ロケータ構造６５に一致嵌合する結合構造１８０を有する。ベース３２を用いた場合、アダプタ１７５は、側面７９及び端面８０と対向して、使用中に、このアダプタを適切に配置して支持する面を有する突出部７０を嵌合収容するポケット１８３を有する。そして、このアダプタは、その周辺全体または一部に沿って溶接される。また、ボス３２を用いた場合、このアダプタは、好ましくは、このアダプタの上記アームからの容易な取外しのために、トラフ面７２から離間している。
【００４２】
変形例の構成においては、アダプタ１７５ａは、位置決め及び支持のために突出部７０に依存しない結合構造１８０ａを有する。（図２０）。この構成においては、各ロケータ構造は、摩耗部材に係合し、この摩耗部材を支持し、かつこの摩耗部材を正確に配置するための特定の形状及び間隔を有する、１対の離間した面を有する。例えば、突出部７０の各側面に対するトラフ面７２には、脚部１７７ａ、１７８ａを相互結合する湾曲部の内側縁面１８５ａに一致する形状が形成されている。そして湾曲部面１８５ａは、上記刃を正確に配置するために、トラフ面に対向させる。結合構造１８０ａを有するアダプタは、突出部７０に係合しない拡張したポケット１８３ａを有する。ことが可能であり、あるいは、突出部７０を含まないアームと共に使用することができる。
【００４３】
他の代替の構成においては、別の溶接アダプタを、ベース３２上に嵌合させることができる。この構成において、このアダプタは、本体４０を嵌合収容するポケットを有し、かつ上記アームが、ベース３２の舌状部に嵌合するが接続できないようにする凹部等の構造を有する。別法として、脚部を有しない、または結合した上部を有しない脚部を有するベースは、そのような溶接アダプタと共に使用することができる。どちらの場合においても、ベース３２の本体４０は、上記アダプタに対する支持を正確に配置し、かつ形成し、その後この本体は、上記アームに溶接される。
【００４４】
上記の説明は、本発明の好適な実施の形態に関するものである。特許請求の範囲に定義した、本発明の趣旨及び主要な態様から逸脱することなく、様々な他の実施の形態及び多くの変形及び変更が可能である。
【図１】
2010248903.tif 000002
【図２】
2010248903.tif 000003
【図３】
2010248903.tif 000004
【図４】
2010248903.tif 000005
【図５】
2010248903.tif 000006
【図６】
2010248903.tif 000007
【図７】
2010248903.tif 000008
【図８】
2010248903.tif 000009
【図９】
2010248903.tif 000010
【図１０】
2010248903.tif 000011
【図１１】
2010248903.tif 000012
【図１２】
2010248903.tif 000013
【図１３】
2010248903.tif 000014
【図１４】
2010248903.tif 000015
【図１５】
2010248903.tif 000016
【図１６】
2010248903.tif 000017
【図１７】
2010248903.tif 000018
【図１８】
2010248903.tif 000019
【図１９】
2010248903.tif 000020
【図２０】
2010248903.tif 000021
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
摩耗部材をベースに取付けるのに適合しているロックであって、この摩耗部材が、前記ロックを収容する開口部を有し、前記ロックが、前方部材と、後方部材と、前記前方部材と後方部材との間の弾性部材と、アクチュエータとを有し、前記後方部材が、アダプタ内で前記開口部の後方壁部に当接する後方面を有し、前記アクチュエータが、前記ベースの後方支持面に当接する前方面を有し、前記アクチュエータが、前記前方面及び後方面を互いに離れるように動かし、前記アダプタとベースとの接続を強めるように作動可能であり、前記アクチュエータが、さらに、前記前方部材及び後方部材を一緒に引っ張って前記弾性部材を圧縮するように作動可能であるロック。
【請求項２】
前記アクチュエータはネジである、請求項１に記載のロック。
【請求項３】
前記ネジは、前記前方部材にねじ込み接続されている、請求項２に記載のロック。
【請求項４】
前記前方面は、凹状の湾曲面を形成している、請求項１に記載のロック。
【請求項５】
前記前方面は、球面部分を形成している、請求項４に記載のロック。
【請求項６】
前記弾性部材はエラストマーである、請求項１に記載のロック。
【請求項７】
ベース部材と、複数の前方に突出するアームとを備える浚渫カッターヘッドであって、各アームが、掘削刃を前記アームに取付けるために、ベース部材を配置して位置決めする複数の離間したロケータ突出部を有する前方縁部を備えた浚渫カッターヘッド。
【請求項８】
前記ロケータ突出部は、前記アームの前縁部に沿って設けられた凹部内に配置されている、請求項７に記載の浚渫カッターヘッド。
【請求項９】
浚渫カッターヘッドのアームに刃を取付けるためのアセンブリであって、前記アームに固定され、前方支持面のほぼ全体にわたって湾曲した凸状の前方支持面を有するベースと、当接面のほぼ全体にわたって湾曲し、前記前方支持面に当接する凹状の後方当接面と、刃の部分を支持する前方に突出する突出部とを有するアダプタとを備え、前記前方支持面及び後方当接面が、ほぼ同じ曲率半径を有するアセンブリ。
【請求項１０】
前記前方支持面と当接面とは、各々、２つの直交する方向に湾曲している、請求項９に記載のアセンブリ。
【請求項１１】
前記前方支持面と当接面とは、各々、球面部分を形成している、請求項１０に記載のアセンブリ。
【請求項１２】
前記ベースは、浚渫カッターヘッドのアームとの一体部として鋳造されている、請求項９に記載のアセンブリ。
【請求項１３】
前記アダプタは、第１の軸方向結合構造と横方向開口部とを有し、前記ベースは、後方支持面と、前記第１の軸方向結合構造と結合して、前記アダプタと前記ベースとの間の、前記アダプタの長手方向と直交する方向での動きを防ぐ第２の軸方向結合構造とを有し、前記アセンブリは、前記開口部内に収容されて、前記開口部の壁部と前記後方支持面とに対向して、前記アダプタの前記ベースに対する軸方向の動きを防ぐロックをさらに有する、請求項９に記載のアセンブリ。
【請求項１４】
前記アダプタは、前記カッターヘッドのアームに溶接されている、請求項９に記載のアセンブリ。
【請求項１５】
掘削装置に取付けるための摩耗部材であって、掘削装置に取り付けられる後方部と、前方部と、掘削装置に固定されたベースの支持面に当接するようになっている後方に面する当接面とを備え、前記当接面が、前記当接面のほぼ全体にわたり、２つの直交する方向に凹状に湾曲している摩耗部材。
【請求項１６】
前記当接面は、球面部分を形成している、請求項１５に記載の摩耗部材。
【請求項１７】
前記摩耗部材は、掘削装置にほぼ面して、前記ベースの舌状部を収容し、前記摩耗部材を前記ベースに対して保持する少なくとも１つの横方向に延びる面を有するスロットを備える、請求項１５もしくは１６に記載の摩耗部材。
【請求項１８】
前記後方部は、前記摩耗部材を前記ベースに固定するロックを収容する開口部を有する、請求項１５ないし１７のいずれか１項に記載の摩耗部材。
【請求項１９】
複数の螺旋状アーム及び各アームに取付けられた複数の刃とを具備し、これら刃の各々は、湾曲した凸状の前方支持面を有し前記アームの各々に固定されるベースと、この前方支持面と当接し、湾曲した凹状の後方当接面とを有するアダプタとを有し、前記前方支持面及び後方当接面とは、ほぼ同じ曲率半径で相対的に湾曲している浚渫カッターヘッド。
【請求項２０】
前記前方支持面と後方当接面とは、各々球面部分を形成している、請求項１９に記載の浚渫カッターヘッド。
【請求項２１】
各ベースは、前記アームの一体部として鋳造されている、請求項１９に記載の浚渫カッターヘッド。
【請求項２２】
前記ベースは、前記アームにほぼ面する少なくとも１つの支持面を有する舌状部を有し、前記アダプタは、前記舌状部を収容するスロットを有し、かつ前記支持面と前記アームとの間に配置されて前記アダプタを前記アームに対して保持する部材を有する、請求項１９に記載の浚渫カッターヘッド。
【請求項２３】
ロックをさらに具備し、前記アダプタは、前記ロックが、前記アダプタの壁部及び前記ベースの壁部に対向するように入れられて、前記アダプタの前記ベースからの外れを防ぐ開口部を有する、請求項２２に記載の浚渫カッターヘッド。
【請求項２４】
前記アダプタは、前記アームに溶接されている、請求項１９に記載の浚渫カッターヘッド。
【請求項２５】
ベース部材と、前方に突出した複数の螺旋状アームとを備え、各アームは、各々が、同じ形状の固い固定されたロケータ構造を有する複数の離間したロケータ構造を備えた前縁部を具備した浚渫カッターヘッドであって、前記ロケータ構造が、掘り起こし部材と明確に結合して、この掘り起こし部材の前記アーム上での位置を正確に決めるような形状になっている浚渫カッターヘッド。
【請求項２６】
前記ロケータ構造の各々は、前記アームから前方に突出するロケータ突出部を有する、請求項２５に記載の浚渫カッターヘッド。
【請求項２７】
前記ロケータ突出部は、前記アームの前縁部に沿って設けられた凹部内に配置されている、請求項２６に記載の浚渫カッターヘッド。
【請求項２８】
各ロケータ構造は、特定の形状及び間隔を有する１対の離間した面を有し、少なくとも２つのロケータ構造の前記離間した面は、前記アームの前縁部に対して異なるように配置されている、請求項２５に記載の浚渫カッターヘッド。
【請求項２９】
ベースリングと、ハブと、それらの間に延びる複数のアームとを備える浚渫カッターヘッドであって、各アームが、複数の離間したベースを有する前縁部を有し、各ベースが、前記アームに固定されるアダプタ上の相補的な支持面に当接するために、凸状の概して球状構造を有する前方対向支持面を有する浚渫カッターヘッド。
【外国語明細書】
2010248903000001.pdf